(57)【要約】 【課題】マイナスイオン発生器の電極部を、送風通路以外に装備して保守上の問題点を解消すること、および空調機器の送風通路よりの送風にマイナスイオンを効果的に付加すること。【解決手段】送風通路を有する電気機器において、マイナスイオン発生器の電極部を内蔵するマイナスイオン発生室を、空調機器の送風通路の終端に隣接して設け、空調機器の送風通路の終端より室内へ吹出す送風に、マイナスイオン発生室よりのマイナスイオンを混合する。負圧作用により効果的にマイナスイオンを混合することで、室内へのマイナスイオンの供給を増加するとともに、電極部への塵埃の付着を無くして保守を容易にする。【選択図】図２
0003125706.tif 000002
【実用新案登録請求の範囲】
【請求項１】
内部に電気ヒターを内装した平盤状の発熱体パネルユニットと、該発熱体パネルユニットを直立状態に維持するための脚座とを有するパネルヒータにおいて、
電気ヒターを、強出力と弱出力とに、転倒スイッチを介して切替自在とするとともに、
脚座に追加して平座を設け、
発熱体パネルユニット内にセンターフレームを内装し、
転倒スイッチは、発熱体パネルユニットの直立状態では、正常作動位置として、電気ヒターの強出力側に接続し、
発熱体パネルユニットの水平状態では、転倒スイッチは、転倒位置となって、電気ヒターの弱出力側に接続し、
足元保温器と床スポット保温器とに選択自在としたことを特徴とするパネルヒータ。
【請求項２】
内部に電気ヒターを内装した平盤状の発熱体パネルユニットと、該発熱体パネルユニットを直立状態に維持するための脚座とを有するパネルヒータにおいて、
発熱体パネルユニットは、表面板および背面板との間の加熱空間に、センターフレームを内装し、
前記電気ヒーターは、強出力ヒーターと転倒スイッチとの直列接続に、弱出力ヒーターを並列接続して構成し、通常は、転倒スイッチのＯＮ作動で強出力ヒーターと弱出力ヒーターとに給電し、転倒スイッチのＯＦＦ作動で弱出力ヒーターのみに給電する構成とし、
発熱体パネルユニットの背面板に、平座を複数個装着し、
脚座を使用して、発熱体パネルユニットを直立状態とした状態では、転倒スイッチは、正常作動位置として、電気ヒ−ターを強出力に設定し、通常の机下等のスポット空間暖房用のパネルヒータとして機能させるとともに、
平座を使用して、発熱体パネルユニットを水平状態とした状態では、転倒スイッチは、転倒位置となって、電気ヒ−ターを弱出力に設定し、床面のスポット面暖房用のパネルヒータとして機能させること
を特徴とするパネルヒータ。
【考案の詳細な説明】
【技術分野】
【０００１】
本願考案は、足元暖房用のスポット電気暖房装置(パネルヒーター)に関するものである。より詳しくは、机下暖房、脱衣所スポット暖房、トイレ暖房等の小スペースのスポット暖房電気器具に関するものである。
【背景技術】
【０００２】
この種のスポット暖房電気器具(パネルヒーター)Ａは、図１９に示すごとく内部に電気ヒーター(発熱体パネルユニット)を内装し、直立状態に維持するための脚部品２０が取付けられている。
【０００３】
【特許文献１】特開２００４−１０８７３５号公開特許公報
【考案の開示】
【考案が解決しようとする課題】
【０００４】
公知のパネルヒーター[例えば特許文献１（特開２００４−１０８７３５号公開特許公報）「パネルヒータ装置」]は、机下の空間を効率よく暖房すべく、発熱体パネルユニットの熱輻射を効率よく外部に発射させるべく、発熱体パネルユニットを直立状態に維持している。
本考案は、上記のパネルヒーターＡを、台所床下暖房用の足元暖房装置としも、選択的利用を可能として、使用範囲を拡大することを課題とする。
【課題を解決するための手段】
【０００５】
本考案は、内部に電気ヒーターを内装した平盤状の発熱体パネルユニットと、該発熱体パネルユニットを直立状態に維持するための脚座とを有するパネルヒータにおいて、電気ヒーターを、強出力と弱出力とに、転倒スイッチを介して切替自在とするとともに、脚座に追加して平座を設け、発熱体パネルユニット内にセンターフレームを内装し、転倒スイッチは、発熱体パネルユニットの直立状態では、正常作動位置として、電気ヒーターの強出力側に接続し、発熱体パネルユニットの水平状態では、転倒スイッチは、転倒位置となることにより、電気ヒーターの弱出力側に接続し、足元保温器と床スポット保温器とに選択自在としたことを特徴とするパネルヒータを提供する。
【考案の効果】
【０００６】
脚座を使用して発熱体パネルユニットの直立状態として使用する場合には、転倒スイッチは、正常作動位置にあって、電気ヒターの強出力に設定し、従来のパネルヒーターとして機能するとともに、
平座を使用し、発熱体パネルユニットを倒して水平状態とした場合には、転倒スイッチは、転倒作動位置にあって、電気ヒターの弱出力に設定し、床暖房装置として機能する。
この際、発熱体パネルユニットに乗った人体の体重は、補強フレームが主として負担し枠フームが補助する。この際、平座により、床面との間に  床面加熱防止用の通気空間を確保する。
よって、通常の机下等のスポット空間暖房用のパネルヒータとして機能の他に、床面のスポット面暖房用のパネルヒータとして兼用することができる。
【考案を実施するための最良の形態】
【０００７】
発熱体パネルユニットは、表面板および背面板を、枠フレーム(左右一対の縦フレームと上下一対の横フムームを一体化して構成)を介して固定して構成するが、更に、中間フレームを内装する。
上下横フムーム、左右縦フレームおよび中間縦フレームを介して一体化してなるフレーム構造体と、該フレーム構造体に内装した電気ヒーターとで構成し、前記電気ヒーターは、強出力ヒーターと転倒スイッチとの直列接続に、弱出力ヒーターを並列接続して構成し、通常は、転倒スイッチのＯＮ作動で強出力ヒーターと弱出力ヒーターとに給電し、転倒スイッチのＯＦＦ作動で弱出力ヒーターのみに給電する構成とし、発熱体パネルユニットを２個の脚座で垂直状態で支持するとともに、背面板に、平座を４個装着して、水平状態で支持し、且つ、床面との間に  床面加熱防止用の通気空間を確保する。
脚座を使用して、発熱体パネルユニットを直立状態とした状態では、転倒スイッチは、正常作動位置として、電気ヒ−ターを強出力に設定し、通常の机下等のスポット空間暖房用のパネルヒータとして機能させるとともに、平座を使用して、発熱体パネルユニットを水平状態とした状態では、転倒スイッチは、転倒位置となって、電気ヒ−ターを弱出力に設定し、床面のスポット面暖房用のパネルヒータとして機能させる。
【実施例】
【０００８】
以下図面に示す実施例にもとづいて、本考案を詳細に説明する。
図１を参照して、パネルヒータＡは、内部に電気ヒター３を内装した平盤状の発熱体パネルユニット1と、該発熱体パネルユニット1を直立状態に維持するための脚座２で構成することは従来製品と同様である。
【０００９】
発熱体パネルユニット１は、表面板１１および背面板１２を、枠フレーム１３(左右一対の縦フレーム13ａ、13ａと上下一対の横フムーム13ｂ、13ｂを一体化して構成)を介して固定して構成するが、更に、センターフレーム１４を内装する。
【００１０】
前記電気ヒーター３は、強出力ヒーター３Ａと転倒スイッチとの直列接続に、弱出力ヒーター３Ｂを並列接続して構成し、通常は、転倒スイッチのＯＮ作動で強出力ヒーターと弱出力ヒーターとに給電し、強出力ヒーター160Ｗ+弱出力ヒーター40Ｗ＝200Ｗが出力となる。
転倒スイッチのＯＦＦ作動で弱出力ヒーターのみに給電する構成とする。弱出力ヒーター40Ｗのみの出力となる。
【００１１】
発熱体パネルユニット1内の電気ヒーター３は、強出力ヒーター(１２０Ｗ)３1と弱出力ヒーター(４０Ｗ)３２ｗとで構成し、図８の回路図で電源に接続して、転倒スイッチ６のＯＮ接点では１６０Ｗ、  転倒スイッチ６のＯＦＦ接点では４０Ｗとする。
すなわち、電気ヒータ３は、１６０Ｗの高出力と、４０Ｗの低出力とを、転倒スイッチ6のＯＮ作動位置とＯＦＦ作動位置とにより、自動的に選択する構成とする。
【００１２】
転倒スイッチ６としては、種々のリミットスイッチを適用することができるが、図９ないし図１１に示す実施例においては、重錘を検知手段とするリミットスイッチ構成とするものであり、斜視図を示す図９を参照して、本体スイッチ６ａの上面より突出するアーム6ｃ、接点６ｂ、およびアーム６ｃの先端の重錘６ｄより構成する。
【００１３】
図10は、発熱体パネルユニット１の垂直状態における転倒スイッチ６を示し、転倒スイッチ６は接点６ｂはＯＮ作動状態である。
図11は、発熱体パネルユニット１の水平状態における転倒スイッチ６を示し、転倒スイッチ６は接点６ｂはＯＦＦ作動状態である。
【００１４】
発熱体パネルユニット1を、２個の脚座４により、垂直状態で支持するとともに、
背面板に装着した４個の平座５により水平状態で支持して、発熱体パネルユニット1の水平状態(転倒状態)では、床面Ｇとの間に  床面加熱防止用の通気空間Ｑを確保する。
【００１５】
つぎに、センターフレーム１４を説明する。
図１３ないし図１６は、センターフレーム１４の平面視形状を示し、図１８に示す単体センターフレーム１５を一個/または複数個を組合わせて図１３ないし図１６の平面視形状構成とする。
【００１６】
単体センターフレーム１５には、図１８を参照して、通気用の窓/または切欠部１６、ヒータ通過用の窓１７、取付用の延長折曲片１８を設ける。
【図面の簡単な説明】
【００１７】
【図１】本考案の実施例を示すパネルヒーターの斜視図。
【図２】同じく縦断面図。
【図３】同じく縦断面図。
【図４】図７のＳ1―Ｓ1線による断面図。
【図５】図７のＳ2―Ｓ2線による断面図。
【図６】図７のＳ3―Ｓ3線による断面図。
【図７】表面板を除去して示すパネルヒーターの内部平面図。
【図８】電気ヒーターの電気回路図。
【図９】転倒スイッチの斜視図。
【図１０】同じく転倒スイッチを示し、a図は閉状態の接点、ｂ図は正面図。ｃ図は直立状態(スポット暖房状態)の斜視図。
【図１１】同じく転倒スイッチを示し、a図は開状態の接点、ｂ図は正面図。ｃ図は水平状態(足元暖房状態)の斜視図。
【図１２】台所床下暖房用の足元暖房装置としての使用状態を示し、ａ図はパネルヒーターの斜視図、ｂ図は使用者とともに示す側面図。
【図１３】センターフレームの第１実施例を示す平面図。
【図１４】センターフレームの第２実施例を示す平面図。
【図１５】センターフレームの第３実施例を示す平面図。
【図１６】センターフレームの第４実施例を示す平面図。
【図１７】センターフレームの第５実施例を示す平面図。
【図１８】センターフレームを構成する単体センターフレームの実施例を示す斜視図。
【図１９】公知のパネルヒーター(スポット電気暖房装置)の斜視図。
【符号の説明】
【００１８】
Ａ    パネルヒータＡ、
１    発熱体パネルユニット
２    脚座
３    電気ヒーター
３A    強出力ヒーター
３B    弱出力ヒーター
５    平座
６    転倒スイッチ
１１  表面板
１２  背面板
１３  センターフレーム
【図１】
0003125706.tif 000003
【図２】
0003125706.tif 000004
【図３】
0003125706.tif 000005
【図４】
0003125706.tif 000006
【図５】
0003125706.tif 000007
【図６】
0003125706.tif 000008
【図７】
0003125706.tif 000009
【図８】
0003125706.tif 000010
【図９】
0003125706.tif 000011
【図１０】
0003125706.tif 000012
【図１１】
0003125706.tif 000013
【図１２】
0003125706.tif 000014
【図１３】
0003125706.tif 000015
【図１４】
0003125706.tif 000016
【図１５】
0003125706.tif 000017
【図１６】
0003125706.tif 000018
【図１７】
0003125706.tif 000019
【図１８】
0003125706.tif 000020
【図１９】
0003125706.tif 000021